(57)【要約】  本発明は、溶融金属の入った容器の排出口にあるスライドゲートに用いる耐熱性ユニットであって、容器の排出口に設置することができる耐熱性アダプタブロック（２１）と、このアダプタブロックに接続した耐熱性ボトムプレート（１０）とを有し、このボトムプレートにはスライド式の耐熱性スライドプレート（１８）を接続することができ、スライドプレートはスライドゲート（１）の開閉を可能にする耐熱性ユニットに関する。アダプタブロック（２１）に接続した第１のボトムプレート（１０）のほかに、アダプタブロックの隣には第２のボトムプレート（１２）がある。第２のボトムプレートはアダプタブロックの下にスライドして第１のボトムプレートと入れ替え可能である。アダプタブロック（２１）は長さが第２のボトムプレート（１２）の一部まで延在しているため、アダプタブロックがアダプタブロックの下方スライド面（２１’）で前記第２のボトムプレート（１２）と摺接する。【選択図】図２
2013508159.tif 000002
【特許請求の範囲】
【請求項１】
溶融金属の入った容器の排出口にあるスライドゲートに用いる耐熱性ユニットであって、前記容器の排出口に設けた耐熱性アダプタブロック（２１）と、このアダプタブロックに接続した耐熱性ボトムプレート（１０）とを有し、このボトムプレートにはスライド式の耐熱性スライドプレート（１８）を押圧することができ、該スライドプレートは前記スライドゲート（１）の開閉を可能にし、前記アダプタブロック（２１）に接続した第１のボトムプレートのほかに、前記アダプタブロックに隣接する第２のボトムプレートであって、前記アダプタブロックの下をスライドして前記第１のボトムプレートと入れ替わることができる第２のボトムプレートを有する耐熱性ユニットにおいて、前記アダプタブロック（２１）は、下方のスライド面（２１’）が前記第２のボトムプレート（１２）と摺接するように、前記第２のボトムプレート（１２）の一部まで延在していることを特徴とする耐熱性ユニット。
【請求項２】
前記アダプタブロック（２１）は、前記第２のボトムプレート（１２）と少なくとも数ミリメートルの長さにわたってスライド接触していることを特徴とする請求項１に記載の耐熱性ユニット。
【請求項３】
前記アダプタブロック（２１）は、外形が円形で、前記第２のボトムプレート（１２）の前記上方スライド面（１２’）の一部の形状と合致する形状に形成されていることを特徴とする請求項１に記載の耐熱性ユニット。
【請求項４】
前記アダプタブロック（２１）は、下方のスライド面（２１’）のうち少なくとも前記第２のボトムプレート（１２）の真上にくる領域に面取り（２９）を有することを特徴とする、請求項１に記載の耐熱性ユニット。
【請求項５】
前記第１および第２のボトムプレート（１０、１２）は同じ外形寸法に形成され、前記第１のボトムプレート（１０）は開口部が前記アダプタブロック（２１）の開口部と同心となるように配設されることを特徴とする前記請求項１から４のいずれかに記載の耐熱性ユニット。
【請求項６】
全体的に示した斜線部分（１０”、１２”）は、それぞれハウジングフレーム（３）に挿入するボトムプレート（１０、１２）に付したものであり、該ボトムプレートはアダプタブロック（２１）に対面させて配置することを特徴とする前記請求項１から５のいずれかに記載の耐熱性ユニット。
【請求項７】
前記請求項１から６のいずれかに記載の耐熱性ユニットを備えるスライドゲートであって、耐熱性ボトムプレート（１０）とボトムプレート（１０）に対して強く押圧することができる耐熱性スライドプレート（１８）を備えるスライダユニット（２０）とを収容するための容器の排出口に取り付けることができるハウジングフレーム（３０）を有し、前記容器の排出口とともに使用することができるアダプタブロック（２１）に接続した前記第１のボトムプレート（１０）の隣には第２のボトムプレート（１２）が位置し、この第２のボトムプレートは前記アダプタブロックの下にスライドして前記第１のボトムプレートと入れ。替えることができるスライドゲートにおいて、前記アダプタブロック（２１）は、下方スライド面（２１’）と前記第２のボトムプレート（１２）とが摺動可能に接触するように、長さが前記第２のボトムプレート（１２）の一部まで延在しており、ケース（４０）は前記ハウジングフレーム（３０）内に互いに隣接して収容することができる少なくとも２つのボトムプレートを有し、前記ケース（４０）は、作業位置にある前記ボトムプレート（１０）が前記第２のボトムプレート（１２）と入れ替え可能であるように、前記ハウジングフレーム（３０）内で移動可能であることを特徴とするスライドゲート。
【請求項８】
前記ケース（４０）は、初期位置と最終位置との間を駆動装置（３４）によって往復移動することを特徴とする請求項７に記載のスライドゲート。
【請求項９】
前記ケース（４０）は、断面が斜線部分の縁を有し、前記ボトムプレート（１０）および前記第２のボトムプレート（１２）は前記ケース内にほぼ遊びなしで挿入されることを特徴とする請求項７または８に記載のスライドゲート。
【発明の詳細な説明】
【技術分野】
【０００１】
本発明は、溶融金属の入った容器の排出口にあるスライドゲートに用いる耐熱性ユニットであって、容器の排出口に設置することができる耐熱性アダプタブロックと、このアダプタブロックに接続した耐熱性ボトムプレートとを有し、このボトムプレートにはスライド式の耐熱性スライドプレートを接続することができる。このスライドプレートはスライドゲートの開・閉を可能にし、アダプタブロックに接続した第１のボトムプレートのほかに、アダプタブロックに隣接する第２のボトムプレートであって、アダプタブロックの下にスライドして第１のボトムプレートと入れ替えることができる第２のボトムプレートを有する耐熱性ユニットに関する。
【背景技術】
【０００２】
溶融金属用容器の排出口にあるスライドゲートは、多種多様な形態で知られている。特に、転炉の排出口の開口部を開閉するのに使用するスライドゲートは、例えば特許文献１に開示されている。このスライドゲートは、固定式の耐熱性バルブプレート（いわゆるボトムプレート）と、スライドユニットに収容する耐熱性スライドプレートを内包したハウジングフレームと備え、このハウジングフレームは、前記ボトムプレートに対して移動することができる。スライドプレートは、このプレートの上方スライド面でボトムプレートの下方スライド面の方に強く押圧することができる。ハウジングフレームは、容器に固定したベースプレートに対して解放可能に取り付けるため、耐熱性排出口の頭部をベースプレートに挿入した状態でボトムプレートを上方スライド面の上で支持することができる。注入作業中、耐熱性部分は激しい摩耗損傷を受ける。このため、この耐熱性部分を比較的頻繁に入れ替える必要がある。このために、ハウジングフレームはそれぞれベースプレートから取り外さなければならない。
【先行技術文献】
【特許文献】
【０００３】
【特許文献１】欧州特許０８１９４８８Ｂ１号
【発明の概要】
【課題を解決するための手段】
【０００４】
本発明は、溶融金属用容器の排出口にあるスライドゲートに用いる耐熱性ユニットを提供し、特に、本ユニットの特に耐熱性ボトムプレートを確実かつ容易に交換することができる転炉を提供する目的に基づくものである。
【０００５】
この目的は、請求項１に記載の特徴を有するバルブプレートおよび請求項５に記載の特徴を有するスライドゲートにより達成される。
【０００６】
本発明によるバルブプレートのさらに好適な形態は、従属請求項の主題を形成するものである。
【０００７】
本発明による耐熱性ユニットにより、スライドゲートを設置する際のボトムプレートの入れ替えは、問題なく実施することができる。
【０００８】
以下、図面を用いて本発明を詳細に説明する。図面は以下のとおりである。
【図面の簡単な説明】
【０００９】
【図１】ケースが初期位置にあり、２つのボトムプレートを備えたスライドゲートの断面図である。
【図２】図１によるスライドゲートの断面図であり、ケースが初期位置にある図である。
【発明を実施するための形態】
【００１０】
図１によるスライドゲート１は転炉の排出口に配置するのが好ましく、図にはこの排出口のうちスライドゲート１を移動させるベースプレート３２のみが示してあり、この排出口には耐熱性アダプタブロック２１を設けている。スライドゲート１は、ケース４０を備えたハウジングフレーム３０を有し、このケース４０には耐熱性ボトムプレート１０および同じく耐熱性の第２のボトムプレート１２が挿入されている。さらに、ハウジングフレーム３０には、耐熱性スライドプレート１８を備えたスライダユニット２０、およびこのスライダユニットに接続されている耐熱性の排出口カバー１９が設けられている。
【００１１】
スライドゲート１を開閉するのために、スライダユニット２０は、スライドプレート１８およびこのスライドプレートの下にある排出口カバー１９と共に図の平面に対して垂直方向に移動する。これは詳細に図示していない。
【００１２】
スライドゲート１において、一方のボトムプレート１０は、シリンダユニットとして用意した駆動装置３４を用いてケース４０を動かすことによって作業位置から移動させて、もう一方のボトムプレート１２と入れ替え可能である。したがって、ハウジングフレーム３０を分解する必要はない。
【００１３】
図２は、容器の排出口に設置することができる耐熱性アダプタブロック２１を備えたスライドゲート１に用いる耐熱性ユニット５を示す。この耐熱性ユニットには耐熱性ボトムプレート１０を接続し、このボトムプレートには可動式の耐熱性スライドプレート１８および排出口カバー１９を接続することができる。アダプタブロック２１に接続する第１のボトムプレート１０の隣には第２のボトムプレート１２が位置する。２つのボトムプレート１０、１２は同じ外形寸法に形成去れており、第１のボトムプレート１０は開口部がアダプタブロック２１の開口部と同心となるように配置させる。
【００１４】
本発明によれば、アダプタブロック２１は、下方のスライド面２１’と第２のボトムプレート１２とが摺接するように、この第２のボトムプレート１２の一部まで延在している。アダプタブロック２１は、第２のボトムプレート１２と少なくとも数ミリメートルの長さにわたって接触してさせていることが有利である。
【００１５】
アダプタブロック２１は外形が円形で、第２のボトムプレート１２の上方のスライド面１２’の一部の形状に合致した状態になる。下方スライド面２１’のうち少なくともこの第２のボトムプレート１２の真上にくる領域に、面取り２９が設けられている。ボトムプレート１０が反対側からスライドしてくる場合は、このような面取り２９を反対側にも設けである。
【００１６】
本耐熱性ユニット５の耐熱性部分はそれぞれ、少なくとも１つのジルコン製インサートまたはこれに類似のもの、およびこのインサートを包囲する耐熱性の物質を備える。このほか金属製ケースもあり、それぞれが外周を形成する。全体的に示した斜線部分１０”、１２”、１８’はそれぞれボトムプレートまたはスライドプレートに設けたものである。
【図１】
2013508159.tif 000003
【図２】
2013508159.tif 000004
【手続補正書】
【提出日】平成24年6月21日(2012.6.21)
【手続補正１】
【補正対象書類名】特許請求の範囲
【補正対象項目名】全文
【補正方法】変更
【補正の内容】
【特許請求の範囲】
【請求項１】
溶融金属の入った容器の排出口にあるスライドゲートに用いる耐熱性ユニットであって、前記容器の排出口に設けた耐熱性アダプタブロック（２１）と、このアダプタブロックに接続した耐熱性ボトムプレート（１０）とを有し、このボトムプレートにはスライド式の耐熱性スライドプレート（１８）を押圧することができ、該スライドプレートは前記スライドゲート（１）の開閉を可能にし、前記アダプタブロック（２１）に接続した第１のボトムプレートのほかに、前記アダプタブロックに隣接する第２のボトムプレートであって、前記アダプタブロックの下をスライドして前記第１のボトムプレートと入れ替わることができる第２のボトムプレートを有する耐熱性ユニットにおいて、前記アダプタブロック（２１）は、下方のスライド面（２１’）が前記第２のボトムプレート（１２）と摺接するように、前記第２のボトムプレート（１２）の一部まで延在していることを特徴とする耐熱性ユニット。
【請求項２】
前記アダプタブロック（２１）は、前記第２のボトムプレート（１２）と少なくとも数ミリメートルの長さにわたってスライド接触していることを特徴とする請求項１に記載の耐熱性ユニット。
【請求項３】
前記アダプタブロック（２１）は、外形が円形で、前記第２のボトムプレート（１２）の前記上方スライド面（１２’）の一部の形状と合致する状態に形成されていることを特徴とする請求項１に記載の耐熱性ユニット。
【請求項４】
前記アダプタブロック（２１）は、下方のスライド面（２１’）のうち少なくとも前記第２のボトムプレート（１２）の真上にくる領域に面取り（２９）を有することを特徴とする、請求項１に記載の耐熱性ユニット。
【請求項５】
前記第１および第２のボトムプレート（１０、１２）は同じ外形寸法に設計され、前記第１のボトムプレート（１０）は開口部が前記アダプタブロック（２１）の開口部と同心となるように配設されることを特徴とする請求項１に記載の耐熱性ユニット。
【請求項６】
全体的に示した斜線部分（１０”、１２”）は、それぞれハウジングフレーム（３）に挿入するボトムプレート（１０、１２）に付したものであり、該ボトムプレートはアダプタブロック（２１）に対面させて配置することを特徴とする請求項１に記載の耐熱性ユニット。
【請求項７】
請求項１に記載の耐熱性ユニットを備えるスライドゲートであって、耐熱性ボトムプレート（１０）とボトムプレート（１０）に対して強く押圧することができる耐熱性スライドプレート（１８）を備えるスライダユニット（２０）とを収容するための容器の排出口に取り付けることができるハウジングフレーム（３０）を有し、前記容器の排出口とともに使用することができるアダプタブロック（２１）に接続した前記第１のボトムプレート（１０）の隣には第２のボトムプレート（１２）が位置し、この第２のボトムプレートは前記アダプタブロックの下にスライドして前記第１のボトムプレートと入れ替えることができるスライドゲートにおいて、前記アダプタブロック（２１）は、下方スライド面（２１’）と前記第２のボトムプレート（１２）とが摺動可能に接触するように、長さが前記第２のボトムプレート（１２）の一部まで延在しており、ケース（４０）は前記ハウジングフレーム（３０）内に互いに隣接して収容することができる少なくとも２つのボトムプレートを有し、前記ケース（４０）は、作業位置にある前記ボトムプレート（１０）が前記第２のボトムプレート（１２）と入れ替え可能であるように、前記ハウジングフレーム（３０）内で移動可能であることを特徴とするスライドゲート。
【請求項８】
前記ケース（４０）は、初期位置と最終位置との間を駆動装置（３４）によって往復移動することを特徴とする請求項７に記載のスライドゲート。
【請求項９】
前記ケース（４０）は、断面が斜線部分の縁を有し、前記ボトムプレート（１０）および前記第２のボトムプレート（１２）は前記ケース内にほぼ遊びなしで挿入されることを特徴とする請求項７または８に記載のスライドゲート。
【国際調査報告】
2013508159.tif 000005
2013508159.tif 000006
2013508159.tif 000007
2013508159.tif 000008
2013508159.tif 000009
2013508159.tif 000010